(57)【特許請求の範囲】
【請求項１】
背面を壁面に沿う取付け面に形成し、正面側に液体容器の収容部を設け、収容部の底部に、壁面と直交する方向に左右２条のスリットを設け、収容部の裏面に、スリットの長さ方向に沿って多段に形成され、かつ、壁面と接近する方向に逆止作用を有する鋸歯状のラック部を設けた支持主体と、支持主体とは別体に断面Ｌ字形に形成されて、上記収容部の裏面に沿う平面部と、上記取付け面と略平行する垂下部とを一体に具えた緊締部材とを備え、支持主体の前記収容部の裏側から前記スリットに緊締部材の平面部上に設けた左右２条の逆止爪片を嵌合させて、支持主体の正面に対して緊締部材を前後方向に摺動自在に、かつ、抜脱不能に組み合わせ、支持主体を壁面に沿わせるとともに緊締部材の垂下部を壁面と手摺りとの間に嵌合し、該緊締部材の垂下部を手摺りの内側面に圧接させつつ該平面部の上面に設けた逆止爪を前記ラック部に後退不能に掛止させることにより、液体容器を収容する支持主体を手摺り上に固定するようにした液体容器の収容支持具。
【請求項２】
前記支持主体の収容部の底部に、前記スリットと平行にガイド溝を設け、前記緊締部材の平面部上に上記ガイド溝に嵌合する突条を設けたことを特徴とする請求項１の液体容器の収容支持具。
【発明の詳細な説明】
【０００１】
【発明の属する技術分野】
この発明は、例えば病院のように、壁面に沿って手摺りを設けている廊下とか、浴室とか、洗面所に、洗剤とか消毒材を収容した液体容器を保持させて置く場合などに用いられるようにした液体容器の収容支持具に関し、収容支持具を支持主体と緊締部材とに分けて構成することにより、簡単に、かつ、強固に取り付けられるようにしたことを特長とするものである。
【０００２】
【従来の技術】
従来の液体容器の収容支持具には、例えば特開平７−１８７１９４号公報がある。
【０００３】
上記従来の収容支持具は、壁面に沿って垂下する支持具の下部の両側縁を楔形に形成し、この側縁を壁と手摺りとの間に上から押し入れ、圧接部分に生ずる摩擦抵抗により支持具を固定するようにしていた。
【０００４】
【発明が解決しようとする課題】
上記のように、手摺りと壁面との間に嵌め込むようにした支持装置は、器体が一体であって、押し込みにより所望位置に取り付けられるので、構造が簡単で、取り付けも容易である利点があるが、横とか下からの衝撃とか、器体に手を触れた時の振動等で圧接部分が弛み易く、固定構造に技術的な問題がある。
そのために、この種の収容支持具をそれ程複雑化することなく、簡単に、かつ、強固に固定できるようにすることが解決すべき課題となっていた。
【０００５】
【課題を解決するための手段】
そこで本発明は、背面を壁面に沿う取付け面に形成し、正面側に液体容器の収容部を設け、収容部の底部に、壁面と直交する前後方向に左右２条のスリットを設け、収容部の裏面に、スリットの長さ方向に沿って多段に形成され、かつ、壁面と接近する方向に逆止作用を有する鋸歯状のラック部を設けた支持主体と、支持主体とは別体に断面Ｌ字形に形成されて、上記収容部の裏面に沿う平面部と、上記取付け面と略平行する垂下部とを一体に具えた緊締部材とを備え、支持主体の前記収容部の裏側から前記スリットに緊締部材の平面部上に設けた左右２条の逆止爪片を嵌合させて、支持主体の正面に対して緊締部材を前後方向に摺動自在に、かつ、抜脱不能に組み合わせ、支持主体を壁面に沿わせるとともに緊締部材の垂下部を壁面と手摺りとの間に嵌合し、該緊締部材の垂下部を手摺りの内側面に圧接させつつ該平面部の上面に設けた逆止爪を前記ラック部に後退不能に掛止させることにより、液体容器を収容する支持主体を手摺り上に固定するようにした液体容器の収容支持具を提供するものである。
【０００６】
本発明収容支持具は、支持主体の収容部の底部に、前記スリットと平行にガイド溝を設け、前記緊締部材の平面部上に上記ガイド溝に嵌合する突条を設けることにより、支持主体に対する緊締部材の組み合わせがより容易にスムーズにできるようになる。
本発明は以上のようにして前記の課題を解決したものである。
【０００７】
【発明の実施の形態】
以下に本発明の実施の形態を図面について説明する。
本発明収容支持具は、それぞれ樹脂成形体よりなる支持主体１と、断面Ｌ字形の緊締部材２とからなる。
【０００８】
支持主体１は、背面を壁面Ｗに沿わせる取付け面３に形成し、正面側に、液体容器４を収容するための収容部５を設け、収容部５の底部に、壁面Ｗと直交する前後方向に左右２条のスリット６を設け、収容部５の裏面に、スリット６の長さ方向に沿って多段に形成され、かつ、壁面Ｗと接近する方向に逆止作用を有する鋸歯状のラック部７を設けている。
【０００９】
緊締部材２は、上記収容部５の裏面に沿う平面部８と、上記取付け面３と略平行する垂下部９とを一体に具え、平面部８に、収容部５の裏側から前記スリット６に嵌合する左右２条の逆止爪片１０と、逆止爪片１０の間に前記ラック部７と係合する逆止爪１１を横に設けている。
【００１０】
【実施例】
支持主体１と緊締部材２は、支持主体１の収容部５の裏面に緊締部材２の平面部８を沿わせ、左右２条の逆止爪片１０をスリット６にそれぞれ嵌合することにより、図３に示されるように、両逆止爪片１０の内側面を２条のスリット６の内側面にそれぞれ掛止させて、スリット６の長さの範囲で互いに前後方向に摺動を自在にし、かつ、上下方向の抜脱を不能にして組み合わされる。
なお、両部材１，２を嵌合する場合に、支持主体１の収容部５の底面に設けたガイド溝１２と緊締部材２の平面部８上に設けた突条１３を嵌め込みのガイドとすることにより、よりスムーズな嵌合操作ができる。
【００１１】
そして図２に示すように、支持主体１の背面すなわち取付け面３を壁面Ｗに沿わせ、壁面Ｗと手摺りＲとの間に緊締部材２の垂下部９を嵌合し、支持主体１と共に緊締部材２の平面部８の裏面を手摺りＲ上に支承させつつ、緊締部材２のみを手前側に引き寄せ、垂下部９を手摺りＲの内側面ｒに圧接させた位置でラック部７に逆止爪１１を掛止させると、壁面Ｗと手摺りＲとの間の間隔に合わせた液体容器の収容支持具の取り付けができる。
【００１２】
手摺りＲ上の支持主体１は、壁面Ｗとの間で突っ張り状態の元で逆止されるラック部７と逆止爪１１との掛止により前後方向の移動を阻止される。また、緊締部材２の緊締により上下と左右方向に移動することなく壁面に沿って強固に固定されるが、より取付けを強固にする必要がある場合は、図示のように、支持主体１の取付け面３の下部に孔１４を設けてくぎ止めしてもよい。
なお、図１中、Ｔは収容部５の縁に着脱自在に掛止されるトレーである。
【００１３】
【発明の効果】
前記のように構成し、上記のように用いられるようにした本発明によれば、取り付けが簡単にでき、かつ、緊締部材の緊締により支持主体が強固に保持されるので、横や下からの衝撃とか、液体容器の使用に基づく振動に長期間耐えて、安定性に富む液体容器の収容支持具の使用ができる。
【図面の簡単な説明】
【図１】図１は本発明の実施例を示す分解斜視図
【図２】図２は実施例の使用状態を示す一部切欠縦断側面図
【図３】図３は実施例の一部切欠縦断正面図である。
【符号の説明】
Ｗ  壁面
Ｒ  手摺り
ｒ  手摺りの内側面
１  支持主体
２  緊締部材
３  取付け面
４  液体容器
５  収容部
６  スリット
７  ラック部
８  平面部
９  垂下部
１０  逆止爪片
１１  逆止爪
１２  ガイド溝
１３  突条
１４  孔
【図１】
0003770279.tif 000002
【図２】
0003770279.tif 000003
【図３】
0003770279.tif 000004